(57)【要約】【課題】装置の使用者に必ずしも有用でない表示を削減する移動通信端末装置を提供する。【解決手段】表示制御部は、発生したイベントによる表示は行われないと記憶されている場合（ステップＳ１０３の「ＮＯ」）、表示を行わずに動作を終了する（ステップＳ１０４）。また、報知済みのイベントである場合（ステップＳ１０５の「ＹＥＳ」）と、短時間で繰り返されたイベントである場合（ステップＳ１０７の「ＹＥＳ」）、削減された表示を行って（ステップＳ１０６と、ステップＳ１０９）、動作を終了する（ステップＳ１０４）。【選択図】図６
2008148054.tif 000002
【特許請求の範囲】
【請求項１】
表示手段と、
イベントと、そのイベントに伴う表示をするか否かを示す情報とを記憶する表示イベント記憶手段と、
前記イベントが発生し、そのイベントに伴う表示をする旨の情報が前記表示イベント記憶手段に記憶されている場合、そのイベントに伴う表示を前記表示手段に表示させ、前記イベントに伴う表示をしない旨の情報が前記表示イベント記憶手段に記憶されている場合、そのイベントに伴う表示を前記表示手段に削減して表示させる表示制御手段とを有する
ことを特徴とする移動通信端末装置。
【請求項２】
開閉自在の第１の筐体と第２の筐体とからなる移動通信端末装置であって、
前記第１の筐体と第２の筐体とが開状態にあるか閉状態にあるかを検出する開閉検出手段と、
着信信号を受信する通信手段と、
前記第１の筐体または前記第２の筐体の外面に設置された表示手段と、
前記通信手段によって着信信号が受信され、かつ、前記開閉検出手段によって第１の筐体と第２の筐体とが閉状態にあると検出された場合、その着信信号が受信されたことを前記表示手段に表示させ、その後、前記開閉検出手段によって第１の筐体と第２の筐体とが開状態にあると検出され、その後、前記開閉検出手段によって第１の筐体と第２の筐体とが閉状態にあると検出された場合、前記着信信号が受信されたことを前記表示手段に削減して表示させる表示制御手段とを有する
ことを特徴とする移動通信端末装置。
【請求項３】
入力手段と、
表示手段と、
前記入力手段によって入力された操作に従って動作し、前記表示手段に表示される動作の状況を作成する処理手段と、
前記処理手段が前記入力手段によって入力された操作に従った動作をする前と後とで、前記処理手段によって作成された前記表示手段に表示される動作の状況が同じ場合、前記入力手段によって入力された操作に従った動作後の前記処理手段の動作の状況を前記表示手段に削減して表示させる表示制御手段とを有する
ことを特徴とする移動通信端末装置。
【請求項４】
前記表示制御手段は、前記動作の状況が異なる場合、前記入力手段によって入力された操作に従った動作後の前記処理手段の動作の状況を前記表示手段に表示させる
ことを特徴とする請求項３に記載の移動通信端末装置。
【請求項５】
入力手段と、
表示手段と、
前記入力手段によって入力された操作に従って動作し、前記表示手段に表示される動作の状況を作成する処理手段と、
前記処理手段が前記入力手段によって入力された操作に従った動作が定められている場合、前記入力手段によって入力された操作に従った動作後の前記処理手段の動作の状況を前記表示手段に表示させ、前記動作が定められていない場合、前記入力手段によって入力された操作に従った動作前の前記処理手段の動作の状況を前記表示手段に削減して表示させる表示制御手段とを有する
ことを特徴とする移動通信端末装置。
【請求項６】
前記削減して表示させるとは、輝度を下げて表示させる、短い時間に限って表示させる、前記表示手段の表示面の一部に表示させる、のいずれか１つもしくは複数の組合せ、または、表示させない、のいずれかである
ことを特徴とする請求項１ないし請求項５のいずれか１項に記載の移動通信端末装置。
【発明の詳細な説明】
【技術分野】
【０００１】
本発明は、移動通信端末装置に係り、特に表示部への表示を削減する処理に関する。
【背景技術】
【０００２】
移動通信端末装置などの携帯型の装置は、蓄電池に蓄えられた電力によって動作する。そこで、動作にあたり、省電力の観点から、装置が有する表示部への表示を消灯する、また、表示の輝度を下げることが求められている。
【０００３】
更に、表示動作が所定の時間に達することによって、輝度の低下や、発色のむらなどの表示部の劣化が生じることがあるので、劣化を防ぐ観点からも表示を消灯する、また、表示の輝度を下げることが求められている。有機ＥＬ（Electroluminescence）方式の表示部は、劣化が生じ易く、特に上記処理が求められている。
【０００４】
以後、表示の消灯、及び表示の輝度を下げる処理に限らず、短い時間の表示に限る、表示部の表示面の一部への表示に止める、などの表示部で消費される電力の削減と、表示部の劣化の防止との少なくとも一方を図る処理を総称して表示の削減と称する。
【０００５】
そこで、所定の時間に渡って入力装置からの入力操作がない場合、表示を削減する処理が知られている。また、装置のデータ処理部が動作を停止中、中断中、または、処理結果が正常に求まらない場合、表示を削減する処理が知られている（例えば、特許文献１参照。）。更に、表示を削減するために、省電力モードが設定される時間帯を定め、省電力モードにおいては、表示部の表示を削減することが知られている（例えば、特許文献２参照。）。
【特許文献１】特開２００６−１７１３１１号公報（第２−４頁、図１、図２）
【特許文献２】特開２００５−３０９７５１号公報（第２頁、図１、図４）
【発明の開示】
【発明が解決しようとする課題】
【０００６】
しかしながら、上述した特許文献１に開示されている方法では、装置が正常に動作しているか否かに係らず、装置の使用者が必要としない表示を削減することができない問題点があった。また、上述した特許文献２に開示されている方法では、定められた時間帯の間に常に行われる表示の削減には効果があるものの、装置内で発生したイベントや、装置の使用者の操作に係る表示を削減することができない問題点があった。
【０００７】
本発明は、上記問題点を解決するためになされたもので、装置の使用者に必ずしも有用でない表示を削減する移動通信端末装置を提供することを目的とする。
【課題を解決するための手段】
【０００８】
上記目的を達成するために、本発明の移動通信端末装置は、表示手段と、イベントと、そのイベントに伴う表示をするか否かを示す情報とを記憶する表示イベント記憶手段と、前記イベントが発生し、そのイベントに伴う表示をする旨の情報が前記表示イベント記憶手段に記憶されている場合、そのイベントに伴う表示を前記表示手段に表示させ、前記イベントに伴う表示をしない旨の情報が前記表示イベント記憶手段に記憶されている場合、そのイベントに伴う表示を前記表示手段に削減して表示させる表示制御手段とを有することを特徴とする。
【発明の効果】
【０００９】
本発明によれば、装置の使用者に必ずしも有用でない表示を削減する移動通信端末装置を提供することができる。
【発明を実施するための最良の形態】
【００１０】
以下に、本発明による移動通信端末装置の実施の形態を、図面を参照して説明する。図１は、本発明の実施形態に係る移動通信端末装置が適用された、折畳み型移動通信端末装置の上下筐体の折畳みを開いた時の外観を示す図である。図１（ａ）は背面図を、図１（ｂ）は側面図を、図１（ｃ）は正面図をそれぞれ示す。この移動通信端末装置は、上筐体ＭＳ１と下筐体ＭＳ２とが、ヒンジ部ＭＳ３によって回動自在に連結されている。
【００１１】
上筐体ＭＳ１の内面には、受話に用いられるスピーカ１４ａと、使用者に操作を促す表示や、使用者が操作した内容の表示や、カーソル位置や、装置の動作状態の表示などに用いられるバックライト付きのＬＣＤ（Liquid Crystal Display）からなる正面表示部１５ａとが設置されている。また、上筐体ＭＳ１の外面には、装置の動作状態の表示などに用いられるＬＣＤからなる背面表示部１５ｂが設置されている。なお、正面表示部１５ａと、背面表示部１５ｂとは、ＬＣＤに限るものではなく、例えば、有機ＥＬディスプレーであっても良い。
【００１２】
下筐体ＭＳ２の内面には、送話に用いられるマイクロフォン１４ｂが設置されている。下筐体ＭＳ２の内面と側面には、キーパッドからなる入力装置１６が設けられている。また、下筐体ＭＳ２の外面には、音楽の再生等に用いられるスピーカ１９ａが設置されている。更に、下筐体ＭＳ２内には、電波の送受に用いられるアンテナ（図示せず）が設置されている。
【００１３】
入力装置１６は、下筐体ＭＳ２の内面に設置され、各機能での確定や選択を指示するために用いられるワープ中央キー１６ａと、ワープ中央キー１６ａに隣接してワープ中央キー１６ａを取り囲んで設置され、正面表示部１５ａ上のカーソル位置の移動指示などに用いられるワープ十字キー１６ｂとを含む。
【００１４】
更に、入力装置１６は、英数字や文字、記号の入力などに用いられる数字キーと、移動通信端末装置の電源の投入及び切断などの動作指示の入力に用いられる複数の機能キーと、下筐体ＭＳ２の側面に設置された複数の側面キー１６ｃとを含んでいる。
【００１５】
更に、ヒンジ部ＭＳ３には、上下筐体ＭＳ１、ＭＳ２が開状態にあるか、または、閉状態にあるかを検出する開閉検出部（図示せず）が設置されて、その開閉検出部から開閉信号が出力されている。
【００１６】
図２は、この折畳み型移動通信端末装置を、図１に示した上下筐体ＭＳ１、ＭＳ２が開状態にある状態から、上筐体ＭＳ１が回動されて上下筐体ＭＳ１、ＭＳ２が閉状態になった状態の外観を示す図である。図２（ａ）は背面図、即ち下筐体ＭＳ２の外面図を、図２（ｂ）は側面図を、図２（ｃ）は正面図、即ち上筐体ＭＳ１の外面図をそれぞれ示す。この、上下筐体ＭＳ１、ＭＳ２が開状態にある状態では、上筐体ＭＳ１の内面に設置された正面表示部１５ａの表示は視認できず、また、入力装置１６の下筐体ＭＳ２の内面に設置されたキーは操作できない。
【００１７】
図３は、この移動通信端末装置の構成を示すブロック図である。この移動通信端末装置は、開閉信号ＭＳ３ａが入力され、装置全体の制御を行う制御部１１と、基地局（図示せず）との間で電波の送受信を行うアンテナ１２ａと、通信部１２ｂと、送受信部１３と、受話用のスピーカ１４ａと、送話用のマイクロフォン１４ｂと、通話部１４ｃと、正面表示部１５ａと、背面表示部１５ｂと、入力装置１６と、電子メールを送受信する電子メール送受信部１７と、所定の時刻にアラームを発する時刻アラーム部１８と、音楽を再生する音楽再生部１９と、音楽の再生等に用いられるスピーカ１９ａと、正面表示部１５ａ及び背面表示部１５ｂへの表示の削減を行う表示制御部２１と、表示イベント記憶部２２と、イベント表示履歴記憶部２３とからなる。
【００１８】
表示イベント記憶部２２には、表示イベント２２ａが記憶される。表示イベント２２ａは、装置にイベントが発生した際に、そのイベントを正面表示部１５ａまたは背面表示部１５ｂへ表示するか否かを示す情報であり、後で詳述する。
【００１９】
イベント表示履歴記憶部２３には、イベント表示履歴２３ａが記憶される。イベント表示履歴２３ａは、装置に発生したイベントであって、そのイベントが正面表示部１５ａまたは背面表示部１５ｂへ表示された履歴を示す情報であり、後で詳述する。
【００２０】
上記のように構成された、本発明の実施形態に係る移動通信端末装置の各部の動作を、図３を参照して説明する。
【００２１】
制御部１１は、送受信部１３によって通話着信信号または電子メール着信信号が受信された場合、その着信イベントを所定の時間に限って報知する。報知の後、入力装置１６の所定のキー操作がされると、使用者への報知が完了したと判断して、報知動作を終了する。
【００２２】
報知の方法は、スピーカ１９ａから着信音を発生させること、バイブレータ（図示せず）を振動させること、表示制御部２１を介して正面表示部１５ａまたは背面表示部１５ｂに表示をさせることから１つ、または複数の方法を、入力装置１６の所定のキー操作に基づいた設定によって選択する。
【００２３】
また、制御部１１は、入力装置１６の数字キーの操作によって電話番号が入力され、所定の発呼キーが操作されると、その電話番号に対する発呼を送受信部１３を制御して基地局に送信させる。
【００２４】
また、制御部１１は、入力装置１６から操作されたキーの識別子の通知を受け取ると、その識別子を装置の各部であって、その通知を受ける権利が与えられた処理部に通知する。この権利を与えられた処理部は、起動中の処理部の中で、最後に起動された処理部であるが、これに限るものではない。このいずれの処理部に上記権利を与えるかは、ソフトウェアによって実装された装置にあっては、ＯＳのリソース管理機能にあたる。
【００２５】
また、制御部１１は、入力装置１６から所定のキー操作がされた場合、及び所定のキー操作がされた後、装置の電源が切断されて投入された場合、装置をロック状態に置く。装置がロック状態に置かれた場合、制御部１１は、ロックを解除する所定の暗証情報が入力装置１６から入力されると、ロック状態を解除する。装置がロック状態に置かれ、かつ、ロックを解除する所定の暗証情報の入力に用いられないキーが操作された場合、制御部１１は、ロック時に操作されないキーが操作されたと判断し、そのロック時キー操作イベントを所定の時間に渡って報知する。
【００２６】
報知の方法は、スピーカ１９ａから着信音を発生させること、バイブレータを振動させること、表示制御部２１を介して正面表示部１５ａまたは背面表示部１５ｂに表示をさせることから１つ、または複数の方法を、入力装置１６の所定のキー操作に基づいて設定によって選択する。
【００２７】
通信部１２ｂは、アンテナ１２ａが受信した高周波信号を送受信部１３へ出力し、また、送受信部１３から出力される高周波信号をアンテナ１２ａより送信する。
【００２８】
送受信部１３は、通信部１２ｂからの高周波信号を増幅、周波数変換及び復調し、それによって得られたデジタル音声信号を通話部１４ｃに送り、また、着信信号を含む制御信号を制御部１１に送る。更には、通話部１４ｃから出力されるデジタル音声信号、及び制御部１１から出力される発呼信号を含む制御信号を変調、周波数変換及び増幅し、高周波信号を得て、それを通信部１２ｂに送る。
【００２９】
通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００３０】
正面表示部１５ａは、開閉信号ＭＳ３ａによって上下筐体ＭＳ１、ＭＳ２が開状態にあると検出された場合に、表示制御部２１を介して制御部１１に制御されることで、文字・数字や画像データの表示動作を行い、表示されているデータは、入力装置１６からの入力操作や着信信号に応答して制御部１１からの指示を受けることで切換わる。
【００３１】
背面表示部１５ｂは、開閉信号ＭＳ３ａによって上下筐体ＭＳ１、ＭＳ２が閉状態にあると検出された場合に、表示制御部２１を介して制御部１１に制御されることで、文字・数字や画像データの表示動作を行い、表示されているデータは、入力装置１６からの入力操作や着信信号に応答して制御部１１からの指示を受けることで切換わる。
【００３２】
なお、制御部１１は、表示が入力装置１６の所定のキー操作に従って発生させたものであれば、所定の時間に渡ってキー操作が行われない場合、表示を消灯させる。また、表示が入力装置１６の所定のキー操作に従って発生させたものでなく、装置に発生したイベントを契機として発生させた場合、それぞれのイベントに対して定められた所定の時間の経過によって、表示を消灯させる。この表示の消灯は、正面表示部１５ａへの表示であるか、背面表示部１５ｂへの表示であるかを問わない。
【００３３】
入力装置１６は、通信相手の電話番号を指定するための数字キーと複数の機能キーとを含むキーからなる。そして、入力装置１６のキーが操作されると、そのキーの識別子が制御部１１に通知され、制御部１１によって、または、制御部１１がその識別子を通知した各部によって制御が行われる。また、その制御の結果は、制御部１１によって、正面表示部１５ａまたは背面表示部１５ｂに文字や画像として表示される。
【００３４】
電子メール送受信部１７は、電子メールの送信及び受信を行う処理部であり、電子メール送受信部１７の電子メール送信動作は、入力装置１６の所定のキー操作がされた際に起動され、入力装置１６の所定のキー操作によって作成された電子メールの標題と本文とを制御部１１及び送受信部１３を経由して送信して、動作を終了する。
【００３５】
また、電子メール送受信部１７の電子メール受信動作は、送受信部１３によって電子メール着信信号が受信されると制御部１１によって起動され、送受信部１３によって受信された電子メールをメールボックス（図示せず）に記憶して、動作を終了する。
【００３６】
時刻アラーム部１８は、所定の時刻が到来すると、その時刻到来イベントを報知する処理部であり、まず、入力装置１６の所定のキー操作に基づいて時刻を時刻アラーム部１８内に記憶する。この際、その時刻に係る情報を併せて記憶しても良い。例えば、時刻は会議開始の時刻であり、その時刻に係る情報として会議名を記憶する。そして、その時刻であることが制御部１１のクロック機能によって通知されると、報知する。報知の後、入力装置１６の所定のキー操作がされると、使用者への報知が完了したと判断して、報知動作を終了する。
【００３７】
報知の方法は、スピーカ１９ａから着信音を発生させること、バイブレータを振動させること、表示制御部２１を介して正面表示部１５ａまたは背面表示部１５ｂに表示をさせることから１つ、または複数の方法を、入力装置１６の所定のキー操作に基づいた設定によって選択する。ここで、表示は、上記その時刻に係る情報を含んでも良い。
【００３８】
音楽再生部１９は、音楽再生部１９内に記憶された符号化された音楽コンテンツから音声信号を作成して、その音声信号をスピーカ１９ａから発生させる。即ち、音楽再生部１９は、入力装置１６の所定のキー操作がされた際に起動され、音楽再生部１９内に記憶された音楽コンテンツを識別する情報を正面表示部１５ａまたは背面表示部１５ｂに表示させる。そして、入力装置１６の所定のキー操作によって表示された情報が選択されると、その情報で識別される音楽コンテンツを再生する。
【００３９】
音楽再生部１９は、音楽コンテンツを再生中に入力装置１６の所定のキー操作によって音量レベルを上げ、または、音量レベルを下げて設定し、設定された音量レベルで再生する。また、音量上げ操作または音量下げ操作のイベントの発生を、設定された音量レベルを正面表示部１５ａまたは背面表示部１５ｂに表示させることで報知する。音楽再生部１９内に記憶された音楽コンテンツは、装置の製造の際に格納されたものでも良く、また、電子メールの添付ファイルとして電子メール送受信部１７によって受信され、格納されたものでも良い。更に、送受信部１３を経由してダウンロードされ、格納されたものでも良く、また、取り外し可能な記憶媒体を介して格納されたものでも良い。
【００４０】
また、音楽再生部１９は、音楽コンテンツを再生中に入力装置１６の所定のキー操作によって、再生中の音楽コンテンツの名称、即ち、曲名を正面表示部１５ａまたは背面表示部１５ｂに表示させる。
【００４１】
表示制御部２１は、制御部１１によって送信された正面表示部１５ａまたは背面表示部１５ｂに表示をさせるとの指示を受けて起動される。そして、その指示に従った表示を行うか、削減された表示をするかを判断する。次に、その判断結果に基づいて、正面表示部１５ａまたは背面表示部１５ｂに表示をさせ、削減された表示をさせる制御を行って動作を終了する。なお、既に述べている通り、削減された表示は、表示をしないことを含む。
【００４２】
以下、本実施形態に係る移動通信端末装置の使用者に必ずしも有用でない表示を削減する動作を説明する。
【００４３】
図４は、表示イベント記憶部２２に記憶される表示イベント２２ａの構成の一例を示す。この表示イベント２２ａは、イベント２２ｂと、正面表示部への表示２２ｃと、背面表示部への表示２２ｄとが関連付けられた情報からなる。
【００４４】
イベント２２ｂは、例えば、既に説明した、通話着信、電子メール着信、時刻到来、ロック時キー操作、音量上げ操作、音量下げ操作、及び曲名表示のいずれかであるが、これに限るものではない。
【００４５】
正面表示部への表示２２ｃと、背面表示部への表示２２ｄとは、それぞれ関連付けられたイベント２２ｂが発生した際に、そのイベント２２ｂの報知の表示を正面表示部１５ａと、背面表示部１５ｂとに表示するか否かを示す情報であって、「表示する」か、「表示しない」なる情報である。これらの情報は、入力装置１６の所定のキー操作によって入力された情報に基づいて記憶されたものである。
【００４６】
ここで、既に述べたように、正面表示部への表示２２ｃの如何に係わらず、正面表示部１５ａは、上下筐体ＭＳ１、ＭＳ２が開状態にあると検出された場合に、表示動作を行うように制御される。また、背面表示部への表示２２ｄの如何に係わらず、背面表示部１５ｂは、上下筐体ＭＳ１、ＭＳ２が閉状態にあると検出された場合に、表示動作を行うように制御される。
【００４７】
図５は、イベント表示履歴記憶部２３に記憶されるイベント表示履歴２３ａの構成の一例を示す。このイベント表示履歴２３ａは、イベント表示時刻２３ｂと、イベント２３ｃと、パラメータ２３ｄと、開閉状況２３ｅと、表示内容２３ｆとが関連付けられた情報からなる。
【００４８】
イベント２３ｃは、既に説明した表示イベント２２ａに含まれるイベント２２ｂと同じ情報である。そして、イベント表示時刻２３ｂは、イベント２３ｃの報知の表示動作が制御部１１によって指示された時刻である。なお、この報知の表示は、正面表示部１５ａと、背面表示部１５ｂとのいずれか一方に表示されたか、削減して表示されたかを問わない。即ち、表示はされなかった可能性もある。
【００４９】
パラメータ２３ｄは、イベント２３ｃに付随する情報であって、例えば、イベント２３ｃが「通話着信」である場合、パラメータ２３ｄは、発信者の電話番号であるが、これに限るものではない。装置はアドレス帳（図示せず）を有し、パラメータ２３ｄは、上記電話番号を検索キーにアドレス帳を検索して得られた発信者の氏名であっても良い。また、パラメータ２３ｄは、イベント２３ｃが「音量上げ操作」または「音量下げ操作」である場合、音量を上げまたは下げる前の音量レベルを示す。
【００５０】
開閉状況２３ｅは、イベント２３ｃの報知の表示動作が制御部１１によって指示された際に、上下筐体ＭＳ１、ＭＳ２が開状態にあったか、閉状態にあったかを示す、「開」または「閉」なる情報である。表示内容２３ｆは、制御部１１によって指示された、正面表示部１５ａまたは背面表示部１５ｂに表示される内容である。
【００５１】
図６は、表示制御部２１の正面表示部１５ａまたは背面表示部１５ｂに表示をさせ、または、削減された表示をさせる制御動作のフローチャートを示す。表示制御部２１は、制御部１１によって送信された正面表示部１５ａまたは背面表示部１５ｂに表示をさせるとの指示を受信して制御動作を開始する（ステップＳ１０１）。この指示に併せて、表示は如何なるイベントに対応するかと、この指示の際に上下筐体ＭＳ１、ＭＳ２が開状態にあるか、閉状態にあるかと、表示される内容を受信する。また、このイベントにパラメータが付随していれば、そのパラメータを受信する。
【００５２】
そして、表示制御部２１は、受信されたイベントをイベント２３ｃに、パラメータをパラメータ２３ｄに、開状態にあるか、閉状態にあるかを開閉状況２３ｅに、表示される内容を表示内容２３ｆに、この動作実行の際の時刻をイベント表示時刻２３ｂに設定して、イベント表示履歴２３ａに記憶させる（ステップＳ１０２）。
【００５３】
次に、表示制御部２１は、ステップＳ１０１で受信されたイベントとイベント２２ｂとが等しいことを検索条件に表示イベント２２ａを検索し、ステップＳ１０１で受信された上下筐体ＭＳ１、ＭＳ２が開状態にあるか、閉状態にあるかに対応して、それぞれ、正面表示部への表示２２ｃまたは背面表示部への表示２２ｄを得る。
【００５４】
そして、得られた正面表示部への表示２２ｃまたは背面表示部への表示２２ｄを判断し（ステップＳ１０３）、判断した結果が「表示しない」である場合（ステップＳ１０３の「ＮＯ」）、表示制御部２１は、正面表示部への表示２２ｃ及び背面表示部への表示２２ｄへの表示を行わずに制御動作を終了する（ステップＳ１０４）。なお、判断した結果が「表示しない」である場合、表示制御部２１は、表示を行わないことに限るものではない。表示を削減すれば、如何なる制御動作であっても良い。この正面表示部への表示２２ｃまたは背面表示部への表示２２ｄを参照した表示の制御動作については、具体例を用いた説明を後述する。
【００５５】
この表示を削減する制御動作により、装置の使用者は、削減された表示であっても、スピーカ１９ａからの音声発生や、バイブレータの振動によって報知を認識できると判断する場合、表示を削減させることができる。また、使用者の装置の使用形態によれば、イベント２２ｂを重要でないと判断する場合、表示を削減させることができる。
【００５６】
また、装置に使用者が装置をかばん、ポケット等に格納するため、または、装置の使用者が装置から離れるため、表示を視認することが困難であると判断した場合、または、使用者の意思に係らず入力装置１６のキーが操作される可能性があると判断した場合、装置の使用者は、表示をさせない設定とさせることができる。なお、装置を格納する場合、また、装置から離れる場合、上下筐体ＭＳ１、ＭＳ２は閉状態にあると考えられるので、全ての背面表示部への表示２２ｄを「表示しない」とし、正面表示部への表示２２ｃは、必ずしも全てを「表示しない」としない設定をさせることが適切である。
【００５７】
また、上下筐体ＭＳ１、ＭＳ２は閉状態にある場合、使用者の意識的か、無意識にかを問わず、使用者によって、または、かばん等で他の物と触れることによって操作される可能性があるキーは、側面キー１６ｃであるので、側面キー１６ｃの操作によって発生することがあるイベント２２ｂに関連付けられる背面表示部への表示２２ｄ、及び、キーの操作に依存せず発生することがあるイベント２２ｂに関連付けられる背面表示部への表示２２ｄを「表示しない」と設定させることも適切である。
【００５８】
一方、ステップＳ１０３で、判断した結果が「表示する」である場合、及び検索結果が得られない場合（ステップＳ１０３の「ＹＥＳ」）、表示制御部２１は、ステップＳ１０１で受信したイベントは既に報知済みであるか否かを判断する（ステップＳ１０５）。なお、ステップＳ１０３で、検索結果が得られない場合、「表示しない」が検索されたとしても良い。ステップＳ１０５の報知済みであるか否かの判断については、具体例を用いた説明を後述する。
【００５９】
ステップＳ１０５で報知済みであると判断された場合（ステップＳ１０５の「ＹＥＳ」）、表示制御部２１は、ステップＳ１０１で指示が受信された表示を削減して表示して（ステップＳ１０６）、制御動作を終了する（ステップＳ１０４）。ここで、削減された表示は、既に述べているように、表示しないことを含む。
【００６０】
この表示を削減する制御動作により、装置の使用者は、１回の表示によって報知された内容であれば、例えば、２回目以降は、削減された表示であっても、スピーカ１９ａからの音声発生や、バイブレータの振動によって報知を認識できると判断する場合、表示を削減させることができる。
【００６１】
一方、ステップＳ１０５で報知済みでないと判断された場合（ステップＳ１０５の「ＮＯ」）、表示制御部２１は、ステップＳ１０１で受信されたイベントは、繰り返されたイベントであるか否かを判断する（ステップＳ１０７）。この繰り返されたイベントであるか否かの判断については、具体例を用いた説明を後述する。
【００６２】
繰り返されたイベントでないと判断された場合（ステップＳ１０７の「ＮＯ」）、表示制御部２１は、ステップＳ１０１で受信された指示通りに所定の時間に渡って表示をさせて（ステップＳ１０８）、制御動作を終了する（ステップＳ１０４）。
【００６３】
ステップＳ１０７で繰り返されたイベントであると判断された場合、（ステップＳ１０７の「ＹＥＳ」）、表示制御部２１は、ステップＳ１０１で指示が受信された表示を削減して表示して（ステップＳ１０９）、制御動作を終了する（ステップＳ１０４）。ここで、削減された表示は、既に述べているように、全く表示しないことを含む。また、ステップＳ１０６の削減された表示と、ステップＳ１０９の削減された表示とは、同じ削減であっても良く、異なる削減であっても良い。
【００６４】
なお、ステップＳ１０７で繰り返されたイベントであるか否かを判断するとしたが、これに限るものではない。例えば、繰り返しの程度を判断しても良い。そして、繰り返しの程度が大きい程、ステップＳ１０９で大きく削減された表示を行い、繰り返しの程度が小さい程、削減の程度を小さくする。なお、最大に削減された表示は、表示をしないこととしても良い。
【００６５】
なお、表示制御部２１は、全ての表示及び削減された表示を、ステップＳ１０１で受信された上下筐体ＭＳ１、ＭＳ２が開状態にあるか、閉状態にあるかに対応して、それぞれ、正面表示部１５ａまたは背面表示部１５ｂに行うが、制御部１１の指示がある場合、その指示に従う。
【００６６】
また、表示制御部２１は、制御部１１の指示に反して表示及び削減された表示を続けることはなく、制御部１１から所定の時間に渡る表示の指示を受信した場合、削減されているか否かに係らず、その時間を超えて表示させることはない。また、制御部１１から表示終了の指示を受信すると、その指示に従って表示を終了させる（図示せず）。
【００６７】
次に、上述した表示制御部２１によるステップＳ１０３の正面表示部への表示２２ｃまたは背面表示部への表示２２ｄを参照した表示の制御動作と、ステップＳ１０５の報知済みのイベントであるか否かの判断と、ステップＳ１０７の繰り返されたイベントであるか否かの判断を、具体例を用いて説明する。なお、この具体例を用いた説明の中で、いくつかの仮定をするが、それらの仮定は、この説明を簡明にするための仮定であり、表示制御部２１の制御動作を限定するものではない。
【００６８】
まず、ステップＳ１０３の正面表示部への表示２２ｃまたは背面表示部への表示２２ｄを参照した表示の制御動作について説明する。
【００６９】
図７は、上下筐体ＭＳ１、ＭＳ２が閉状態にある際に、「０１１−１１１１−１１１１」なる電話番号を持つ通信装置からの通話着信があり、即ち、図５で、イベント表示時刻２３ｂが「Ｔ１」と等しいイベント表示履歴２３ａで示されるイベント２３ｃが発生し、かつ、図４に示すように、「通話着信」なるイベント２２ｂに関連付けられた背面表示部への表示２２ｄが「表示する」である場合、背面表示部１５ｂに表示される内容を示す。なお、図７以降では、図１及び図２と比較して、背面表示部１５ｂを９０度回転させて図示する。
【００７０】
図７で、背面表示部１５ｂの上部には、３本の縦線と、電池状の画像からなるピクト欄１５ｃが表示されている。縦線は、基地局から送信された電波を装置が受信した際の電波の品質を示し、本数が少ないと品質が悪く、本数が多いと品質が良いことを示す。
【００７１】
電池状の画像は、装置の各部に電力を供給する蓄電池（図示せず）に蓄えられた電力の量を示し、電池状の外枠の内側に表示される横線の本数が少ないと電力が少なく、本数が多いと電力が多いことを示す。このピクト欄１５ｃは、背面表示部１５ｂに表示がされる場合、常に制御部１１によって管理されている電波品質と、電力の量とに基づいて表示される。
【００７２】
背面表示部１５ｂの下部には、上記電話番号「０１１−１１１１−１１１１」の一部である「０１１−１１１１−」である発信した通信装置の電話番号１５ｄが表示されている。背面表示部１５ｂは、小さい表示面を持ち、上記電話番号の全てを一時に表示することができないため、表示が左方向に流れることによって、上記電話番号の全てを表示し、報知するものである。
【００７３】
一方、上記イベント２３ｃが発生した際、背面表示部への表示２２ｄが「表示しない」である場合、背面表示部１５ｂには、図７を参照して説明した表示はされない。ピクト欄１５ｃと発信した通信装置の電話番号１５ｄとのいずれも表示されない。
【００７４】
図８は、上下筐体ＭＳ１、ＭＳ２が閉状態にある際に、音楽再生部１９が音楽コンテンツを再生中であり、入力装置１６の所定のキーが操作され、再生中の音楽コンテンツの名称が表示される、即ち、図５で、イベント表示時刻２３ｂが「Ｔ８」と等しいイベント表示履歴２３ａで示されるイベント２３ｃが発生し、かつ、図４に示すように、「曲名表示」なるイベント２２ｂに関連付けられた背面表示部への表示２２ｄが「表示する」である場合、背面表示部１５ｂに表示される内容を示す。
【００７５】
この表示は、背面表示部１５ｂの下部に、再生中の音楽コンテンツの名称１５ｅが表示される。ここで、再生中の音楽コンテンツの名称１５ｅには、そのコンテンツの再生を開始してからの時間を含む。なお、再生中の音楽コンテンツの名称１５ｅが長い場合、表示が左方向に流れることによって、その全てを表示することは、電話番号の表示に際して説明した通りである。
【００７６】
一方、上記イベント２３ｃが発生した際、上記背面表示部への表示２２ｄが「表示しない」である場合、背面表示部１５ｂには、図８を参照して説明した表示はされない。
【００７７】
次に、ステップＳ１０５の報知済みであるか否かの判断を説明する。一例は、通話着信のイベントがあり、装置の使用者は、そのイベントの報知を知ったと判断される場合、表示を削減するものである。ここで、この例は、イベント２３ｃは、装置の使用者の意思によって発生したものでない例である。
【００７８】
まず、図４に示すように、表示イベント２２ａには、「通話着信」なるイベント２２ｂと、「表示する」なる正面表示部への表示２２ｃと、「表示する」なる背面表示部への表示２２ｄとが関連付けられて記憶されていると仮定する。
【００７９】
表示制御部２１は、ステップＳ１０１で受信して、ステップＳ１０２で記憶させたイベント表示履歴２３ａ、即ち、直近のイベント表示時刻２３ｂと関連付けられて記憶されているイベント表示履歴２３ａと、直近の次に古い、即ち、２番目のイベント表示時刻２３ｂと関連付けられて記憶されているイベント表示履歴２３ａと、直近の次の次に古い、即ち、３番目のイベント表示時刻２３ｂと関連付けられて記憶されているイベント表示履歴２３ａとを比較する。
【００８０】
図５に示す例で、直近のイベント表示時刻２３ｂは、「Ｔ３」であると仮定し、イベント表示時刻２３ｂが「Ｔ１」〜「Ｔ３」の３組のイベント表示履歴２３ａを比較すると仮定する。この比較の結果、イベント２３ｃは、３者とも「通話着信」であり、パラメータ２３ｄは、３者とも同じ電話番号であり、直近の開閉状況２３ｅと、直近から３番目の開閉状況２３ｅとが「閉」であり、直近から２番目の開閉状況２３ｅとが「開」である。
【００８１】
これらに加えて、これらの３つのイベント２３ｃが極く短時間で発生した、例えば、ステップＳ１０８の動作で説明した所定の時間以内に発生した場合（Ｔ３−Ｔ１＜「所定の時間」）、３つイベント２３ｃは、１つの通話着信に係るイベント２３ｃと判断され、表示制御部２１は、通話着信があったことを報知済みであると判断する。また、これらの条件を満たさない場合、報知済みでないと判断する。
【００８２】
即ち、直近から３番目のイベント表示履歴２３ａがステップＳ１０２で記憶された後、表示制御部２１は、ステップＳ１０８で、図７を参照して既に示したように、背面表示部１５ｂに発信した通信装置の電話番号１５ｄを表示する。
【００８３】
そして、直近から２番目のイベント表示履歴２３ａがステップＳ１０２で記憶された後、表示制御部２１は、ステップＳ１０８で、図９に示すように、正面表示部１５ａに、ピクト欄１５ｆと、待ち受け画面１５ｇと、待ち受け画面１５ｇ上に重ねられた発信した通信装置の電話番号１５ｈとを表示する。
【００８４】
なお、ピクト欄１５ｆは、図７を参照して説明したピクト欄１５ｃと同じである。また、正面表示部１５ａは広い表示面を持ち、発信した通信装置の電話番号１５ｈには、電話番号の全てが含まれて表示されている。
【００８５】
この直近から３番目のイベント表示履歴２３ａが記憶された場合と、直近から２番目のイベント表示履歴２３ａが記憶された場合、いずれもステップＳ１０５で、報知済みでないと判断されたので、ステップＳ１０８の動作によって表示されている。
【００８６】
次に、直近のイベント表示履歴２３ａがステップＳ１０２で記憶された後、表示制御部２１は、ステップＳ１０６で、背面表示部１５ｂに削減された表示を行う。即ち、図７を参照して説明したピクト欄１５ｃ及び発信した通信装置の電話番号１５ｄを輝度を下げて、及び／または、短時間に限って表示する。
【００８７】
及び／または、ピクト欄１５ｃを表示せず、発信した通信装置の電話番号１５ｄのみを表示する。更には、ピクト欄１５ｃ及び発信した通信装置の電話番号１５ｄを表示しない。この場合、ステップＳ１０５で、報知済みであると判断されたからである。
【００８８】
なお、この例では、説明を簡明にするため、ステップＳ１０７では、繰り返されたイベント２３ｃではないと判断されたと仮定した。
【００８９】
この例を、使用者による上下筐体ＭＳ１、ＭＳ２の開閉操作を中心に説明する。まず、使用者は上下筐体ＭＳ１、ＭＳ２を閉状態にさせている際に通話着信があり、制御部１１は、図７に示すように背面表示部１５ｂに通話着信を報知する表示を指示する。ここで、直ちに、使用者が、上下筐体ＭＳ１、ＭＳ２が開状態にさせたことによって、制御部１１は、図９に示すように正面表示部１５ａに通話着信を報知する表示を指示する。
【００９０】
ここで、再び直ちに、使用者が、上下筐体ＭＳ１、ＭＳ２を閉状態にさせたことによって、制御部１１は、図７に示すように背面表示部１５ｂに通話着信を報知する表示を指示し、表示制御部２１によって、その表示は削減されて行われる。
【００９１】
このように、上下筐体ＭＳ１、ＭＳ２が閉状態から開状態に、更に閉状態に変化したことによって、表示制御部２１は、装置の使用者が報知を認識した、即ち、報知済みであると判断することができる。このように上下筐体ＭＳ１、ＭＳ２の開閉状態の変化によって報知済みと判断することは、イベント２３ｃが「通話着信」である場合に限らないことは言うまでもない。
【００９２】
上記の通話着信のイベントがあり、装置の使用者は、そのイベントの報知を知ったと判断するか否かの別の例を示す。上下筐体ＭＳ１、ＭＳ２は閉状態にある際に通話着信があり、制御部１１は、図７に示すように背面表示部１５ｂに通話着信を報知する表示を指示し、表示制御部２１は、ステップＳ１０８の動作により、その着信を表示しているとする。
【００９３】
その際、側面キー１６ｃが操作されることによって、処理部が起動された場合、表示制御部２１は、上記通話着信は報知済みと判断する。特に、側面キー１６ｃが操作されることによって、処理のメニューが背面表示部１５ｂに表示され、そのメニューの中の１つの処理が側面キー１６ｃの操作によって選択されることによって起動された場合、表示制御部２１は、上記通話着信は報知済みと判断する。メニュー表示と、そのメニューの中の１項目の選択が行われたことは、使用者の意思があって行われたことを意味し、当然報知に気が付いていると判断されるからである。
【００９４】
ステップＳ１０５の報知済みであるか否かの判断の別の例を示す。この例は、音楽再生部１９が音楽を再生中に、装置の使用者が入力装置１６の所定のキー操作によって音量レベルの変更を指示した場合であって、音楽再生部１９による「音量レベル上げ操作」または「音量レベル下げ操作」のイベント２３ｃの報知を知ったことが確認された場合、表示を削減するものである。
【００９５】
ここで、この例は、イベント２３ｃは、装置の使用者の意思に基づいて発生したとすることができる。なお、後述するように、この例は、表示制御部２１は、使用者の操作に意味がなく、イベントを報知する必要がないと判断したと捉えることもできる。
【００９６】
この例において、図４に示すように、表示イベント２２ａには、「音量上げ操作」なるイベント２２ｂ及び「音量下げ操作」なるイベント２２ｂに関連づけて、「表示する」なる正面表示部への表示２２ｃと、「表示する」なる背面表示部への表示２２ｄとが記憶されていると仮定する。
【００９７】
この例の説明の前に、音楽再生部１９による設定された音量レベルの表示を説明する。音楽再生部１９は、入力装置１６の所定のキー操作によって音量レベルの設定変更の指示を受けると、音量レベルを正面表示部１５ａまたは背面表示部１５ｂに表示させる。図１０は、背面表示部１５ｂに表示される音量レベルの表示の一例を示す。
【００９８】
図１０で、背面表示部１５ｂの上部には、既に説明したように、ピクト欄１５ｃが表示されている。そして、背面表示部１５ｂの下部には、音量レベル表示１５ｉが表示されている。音量レベル表示１５ｉは、複数の長方形からなり、それらの長方形の一部または全部は、長方形の内部が黒く塗りつぶされ、その他の長方形は、塗りつぶされていない。
【００９９】
そして、塗りつぶされた長方形の数によって音量レベルを示す。図１０（ａ）に示す音量レベル表示１５ｉは５つの塗りつぶされていない長方形からなり、音量レベルは、最低の０（塗りつぶされた長方形によって示す。）であることを示す。また、図１０（ｂ）に示す音量レベル表示１５ｉは５つの塗りつぶされた長方形からなり、音量レベルは、最高の５であることを示す。
【０１００】
そして、表示制御部２１は、ステップＳ１０１で受信して、ステップＳ１０２でイベント表示履歴２３ａに直近のイベント表示時刻２３ｂと関連付けられて記憶されているイベント２３ｃが「音量上げ操作」であり、パラメータ２３ｄが「最高音量」である、または、イベント２３ｃが「音量下げ操作」であり、パラメータ２３ｄが「最低音量」であるか否かを調べる。
【０１０１】
この条件が満たされる場合、音楽再生部１９は、音量レベルを変化させることができない。言い換えると、上記イベント２３ｃに従った動作は定められていないため、上記イベント２３ｃは意味を持たない。即ち、音楽再生部１９による音量レベル表示１５ｉに変化はない。そこで、表示制御部２１は、音量レベルを変化させるイベント２３ｃは報知済みであると判断し、ステップＳ１０６の削減された表示を行う。
【０１０２】
図５のイベント表示時刻２３ｂが「Ｔ６」または「Ｔ７」のイベント表示履歴２３ａが記憶された後、上記説明のように、それぞれ「音量上げ操作」または「音量下げ操作」のイベントは報知済みと判断される例である。上記条件が満たされない場合、表示制御部２１は、報知済みでないと判断して、図９に示す音量レベル表示１５ｉをステップＳ１０８の動作によって表示する。なお、この例では、説明を簡明にするため、ステップＳ１０７では、繰り返されたイベントではないと判断されたとする。
【０１０３】
なお、この音楽再生部１９による音量レベル変更による表示に関し、表示制御部２１は、パラメータ２３ｄが「最高音量」であり、イベント２３ｃが「音量上げ操作」である場合、正面表示部１５ａまたは背面表示部１５ｂに表示させる内容に変化がないため、削減された表示を行うと判断しても良い。
【０１０４】
言い換えると、使用者からの複数回の入力操作に対して、表示させる内容が同一であれば、１回表示されれば、２回目以降は削減された表示で充分であると判断するものである。表示させる内容は、例えば、表示内容２３ｆによって得ることができる。パラメータ２３ｄが「最低音量」であり、イベント２３ｃが「音量下げ操作」である場合、同じように判断される。
【０１０５】
この、表示させる内容に変化があるか否かは、例えば、表示内容２３ｆによって判断することができる。ただし、音量レベル表示１５ｉの一部として、例えば、再生中の音楽コンテンツの名称が表示され（図示せず）、かつ、「曲名表示」なるイベント２２ｂが発生した際の表示処理で説明したように、その名称が長いため、表示が流れることによって表示が変化しているとしても、この表示の流れによる変化は副次的であり、表示させる内容に変化があるか否かの判断に影響を与えない。
【０１０６】
また、受信される電波の品質の変化、及び／または、蓄電池に蓄えられた電力の量が変化することによって、ピクト欄１５ｃの表示に変化があった場合、表示される内容に変化があると判断しても良い。なぜなら、ピクト欄１５ｃの表示の変化は、使用者に報知されるべき内容だからである。一方、変化がないと判断しても良い。なぜなら、使用者の意思は、音量レベル変更にあり、その意思に無関係な表示の変化に拘泥する必要はないからである。
【０１０７】
また、後述する「ロック時キー操作」のイベント２３ｃが発生した際の表示のように、時刻が正面表示部１５ａまたは背面表示部１５ｂに表示される場合、時刻の表示に変化があった場合、表示される内容に変化があると判断しても良い。なぜなら、時刻の変化は、使用者に有用な情報だからである。一方、変化がないと判断しても良い。なぜなら、使用者の意思は、時刻を見ることになく、その意思に無関係な時刻の変化に拘泥する必要はないからである。
【０１０８】
なお、この音楽再生部１９による音量レベル変更のイベントが報知済みであるか否かの判断を行う例で、イベント２３ｃが「音量上げ操作」でありパラメータ２３ｄが「最高音量」である、または、イベント２３ｃが「音量下げ操作」でありパラメータ２３ｄが「最低音量」であることが、複数回連続した場合に限って報知済みと判断するとしても良い。
【０１０９】
この最高音量が設定されている際に音量を上げる操作がされた、または、最低音量が設定されている際に音量を下げる操作がされた場合の表示の削減制御は、使用者からの複数回の入力操作に対して、表示させる内容が同一である全ての状況に、同様に適用することができる。また、使用者からの入力操作に従った動作が定められていないため、入力操作は意味を持たない場合に動揺に適用することができる。
【０１１０】
例えば、電子メール送受信部１７に電子メールの標題または本文が入力されている際に、文字数の制限を超えて文字の入力操作がされた場合である。また、制御部１１に発呼操作の一部として電話番号が入力されている際に、数字数の制限を超えて数字の入力操作がされた場合である。
【０１１１】
次に、ステップＳ１０７の繰り返されたイベントであるか否かの判断を、説明する。この例は、上下筐体ＭＳ１、ＭＳ２は閉状態にあり、制御部１１によって、装置がロック状態に置かれ、かつ、ロックを解除する所定の暗証情報の入力に用いられないキーが操作されたイベントが発生した際の表示に関するものであり、そのイベントが繰り返された場合、削減された表示を行うものである。
【０１１２】
まず、図４に示すように、表示イベント２２ａには、「ロック時キー操作」なるイベント２２ｂと、「表示する」なる正面表示部への表示２２ｃと、「表示する」なる背面表示部への表示２２ｄとが関連付けられて記憶されていると仮定する。
【０１１３】
表示制御部２１は、ステップＳ１０１で受信して、ステップＳ１０２でイベント表示履歴２３ａに直近のイベント表示時刻２３ｂと関連付けられて記憶されているイベント２３ｃが「ロック時キー操作」である場合、直近の過去から順次過去のイベント表示時刻２３ｂと関連づけられて記憶されているイベント表示履歴２３ａを得る。そして、イベント２３ｃが「ロック時キー操作」であるイベント表示履歴２３ａが連続して何組記憶されているか、また、隣り合うイベント表示時刻２３ｂの差の大小を調べる。
【０１１４】
そして、表示制御部２１は、連続して記憶されている組数が所定の数より多い場合、繰り返されたイベントであると判断するが、連続して記憶されていることに拘ることなく、１組単独であっても繰り返されたイベントであると判断しても良い。また、それぞれのイベント表示時刻２３ｂの差が小さい場合、繰り返されたイベントであると判断する。
【０１１５】
また、繰り返されたイベントであるか否かの判断でなく、繰り返された程度を判断する場合、連続して記憶されている組数が多い程、繰り返された程度が高いと判断する。また、隣り合うイベント表示時刻２３ｂの差が小さい程、繰り返された程度が高いと判断する。
【０１１６】
図５に示す例で、直近のイベント表示時刻２３ｂは、「Ｔ５」であると仮定する。すると、そのイベント表示時刻２３ｂ「Ｔ５」に関連付けられたイベント２３ｃは「ロック時キー操作」である。そして、直近の過去のイベント表示時刻２３ｂ「Ｔ４」に関連付けられたイベント２３ｃは「ロック時キー操作」であるが、更に１つ前のイベント表示時刻２３ｂ「Ｔ３」に関連付けられたイベント２３ｃは「ロック時キー操作」でない。
【０１１７】
即ち、イベント２３ｃが「ロック時キー操作」であるイベント表示履歴２３ａが連続して２組記憶されており、それぞれのイベント表示時刻２３ｂの差は、Ｔ５−Ｔ４である。表示制御部２１は、イベント表示時刻２３ｂの差（Ｔ５−Ｔ４）が所定の秒数より大きい場合、表示制御部２１は、それぞれのイベント２３ｃは独立して発生したと判断し、ステップＳ１０７で、繰り返されたイベントでないと判断し、ステップＳ１０８の表示をする。
【０１１８】
図１１は、上下筐体ＭＳ１、ＭＳ２が閉状態にある際に、「ロック時キー操作」イベントの発生を背面表示部１５ｂに表示する例を示す。即ち、この表示は、２段階に分けて行われる。即ち、まず、図１１（ａ）に示すように、背面表示部１５ｂの上部のピクト欄１５ｃと、背面表示部１５ｂの下部に「キーロック中」なるロック時キー操作表示１５ｊとが表示される。次に、図１１（ｂ）に示すように、背面表示部１５ｂの下部に、動作時の時刻１５ｋが表示される。なお、ピクト欄１５ｃの表示については、既に説明した通りである。
【０１１９】
上記イベント表示時刻２３ｂの差（Ｔ５−Ｔ４）が所定の秒数より小さい場合、表示制御部２１は、イベント２３ｃが２回繰り返されたので、ステップＳ１０７で、繰り返されたイベントであると判断し、ステップＳ１０９の削減された表示をする。
【０１２０】
このように、上記イベント表示時刻２３ｂの差（Ｔ５−Ｔ４）と所定の秒数との大小を比較し、イベント表示時刻２３ｂの差（Ｔ５−Ｔ４）が大きい場合、ステップＳ１０８の、削減されない表示がされることによって、時刻１５ｋの表示を目的とした装置の使用、即ち、装置が時計の目的で使用される際に適切な動作が可能となる。
【０１２１】
なお、装置がロック状態に置かれ、かつ、ロックを解除する所定の暗証情報の入力に用いられないキーが操作されたことは、一般化すると、以下の場合に該当する。即ち、ある処理部が入力装置１６のキー操作リソースを割り当てられ、即ち、入力装置１６のキーが操作されると、そのキーの識別子を制御部１１から受け取って動作している際、その処理部がその時点の動作で受け取った場合の動作が定義されていない識別子を受け取ったことに該当する。
【０１２２】
そこで、この処理部が、受け取った場合の動作が定義されていない識別子を受け取った際の表示も、表示制御部２１は、上記「ロック時キー操作」なるイベント２２ｂが発生した場合と同様に表示制御することができる。
【０１２３】
なお、以上の説明は、表示の削減制御は、表示制御部２１が一括して行うとしたが、これに限るものではなく、個々の処理部が行っても良い。例えば、着信報知の表示と、ロック時にロック解除に用いないキーが操作された際の表示に関しては制御部１１が、時刻到来の表示に関しては時刻アラーム部１８が、音量変更の表示と曲名表示に関しては音楽再生部１９が行っても良い。個々の処理部が表示の削減制御を行う場合、表示イベント２２ａと、イベント表示履歴２３ａは、個々の処理部が自処理部に関する情報のみを記憶するとしても良い。
【０１２４】
また、以上の説明は、上下筐体ＭＳ１、ＭＳ２の折り畳みによって開閉自在の移動通信端末装置を例にとって行ったが、これに限るものではない。例えば、スライドによって開閉自在の移動通信端末装置に対しても、当然に適用される。スライド式の装置の場合、開状態にあっては視認可能で、閉状態にあっては視認不可能な表示部は正面表示部１５ａに、閉状態にあっても視認可能な表示部は背面表示部１５ｂに対応する。また、閉状態にあっても操作可能なキーは、側面キー１６ｃに対応する。
【０１２５】
また、以上説明した各部、特に、制御部１１、電子メール送受信部１７、時刻アラーム部１８、音楽再生部１９、及び表示制御部２１は、コンピュータと、そのコンピュータによって利用されるプログラムからなっても良い。なお、音楽再生部１９の復号処理は、専用のハードウェアによって行われても良い。
【０１２６】
また、以上の説明は、本発明を移動通信端末装置に適用した形態を例にとって行ったが、本発明は、あらゆる表示部を有する装置に適用することが当然に可能であり、省電力と、表示部の劣化防止の効果が得られる。そして、ＰＤＡ（Personal Digital Assistant）、携帯型音楽再生装置、携帯型パソコンなど、電池に蓄えられた電力によって駆動されるあらゆる装置に適用すると、特に効果が顕著である。これらの装置において、省電力が特に求められるからである。本発明は以上の構成に限定されるものではなく、種々の組合せ及び変形が可能である。
【図面の簡単な説明】
【０１２７】
【図１】本発明の実施形態に係る折畳み型移動通信端末装置の上下筐体を開いた際の外観図。
【図２】本発明の実施形態に係る折畳み型移動通信端末装置の上下筐体を閉じた際の外観図。
【図３】本発明の実施形態に係る移動通信端末装置の構成を示すブロック図。
【図４】本発明の実施形態に係る移動通信端末装置の表示イベントの構成の一例を示す図。
【図５】本発明の実施形態に係る移動通信端末装置のイベント表示履歴の構成の一例を示す図。
【図６】本発明の実施形態に係る移動通信端末装置の表示制御部の表示をさせ、または、削減された表示をさせる制御動作のフローチャート。
【図７】本発明の実施形態に係る移動通信端末装置の背面表示部に発信した通信装置の電話番号が表示された一例を示す図。
【図８】本発明の実施形態に係る移動通信端末装置の背面表示部に再生中の音楽コンテンツの名称が表示された一例を示す図。
【図９】本発明の実施形態に係る移動通信端末装置の正面表示部に発信した通信装置の電話番号が表示された一例を示す図。
【図１０】本発明の実施形態に係る移動通信端末装置の背面表示部に音量レベルが表示された一例を示す図。
【図１１】本発明の実施形態に係る移動通信端末装置の背面表示部にロック時のキー操作が行われたことが表示された一例を示す図。
【符号の説明】
【０１２８】
ＭＳ１  上筐体
ＭＳ２  下筐体
ＭＳ３  ヒンジ部
１１  制御部
１３  送受信部
１５ａ  正面表示部
１５ｂ  背面表示部
１５ｃ、１５ｆ  ピクト欄
１５ｄ、１５ｈ  発信した通信装置の電話番号
１５ｅ  再生中の音楽コンテンツの名称
１５ｉ  音量レベル表示
１５ｊ  ロック時キー操作表示
１５ｋ  時刻
１６  入力装置
１６ｃ  側面キー
１８  時刻アラーム部
１９  音楽再生部
２１  表示制御部
２２  表示イベント記憶部
２２ａ  表示イベント
２２ｂ、２３ｃ  イベント
２２ｃ  正面表示部への表示
２２ｄ  背面表示部への表示
２３  イベント表示履歴記憶部
２３ａ  イベント表示履歴
２３ｂ  イベント表示時刻
２３ｄ  パラメータ
２３ｅ  開閉状況
２３ｆ  表示内容
【図１】
2008148054.tif 000003
【図２】
2008148054.tif 000004
【図３】
2008148054.tif 000005
【図４】
2008148054.tif 000006
【図５】
2008148054.tif 000007
【図６】
2008148054.tif 000008
【図７】
2008148054.tif 000009
【図８】
2008148054.tif 000010
【図９】
2008148054.tif 000011
【図１０】
2008148054.tif 000012
【図１１】
2008148054.tif 000013